(57)【特許請求の範囲】
【請求項１】
指向性がともに単一指向性である第１および第２の２つのマイクロホンユニットを含むステレオマイクロホンであって、
平板状に形成されたバッフル板を備え、上記各マイクロホンユニットがそれぞれ指向軸を互いに平行として、上記第１マイクロホンユニットが上記バッフル板の一方の面側に配置され、上記第２マイクロホンユニットが上記バッフル板の他方の面側に上記第１マイクロホンユニットと対称的に配置されているとともに、
上記バッフル板の各面には、上記マイクロホンユニットの指向軸と同軸に形成された貫通孔を有する音響抵抗材よりなるユニットカバーが設けられ、
上記各マイクロホンユニットが上記各ユニットカバーの上記貫通孔内に収納され、上記バッフル板と上記各ユニットカバーとにより上記各貫通孔の先端側に右前部音響端子と左前部音響端子とが構成され、
上記各ユニットカバーの後端部は上記バッフル板の後端部よりも後方に延びていて、上記各ユニットカバーの後端部において上記各貫通孔の内部空間は互いに連通しており、上記バッフル板の延長線上で上記各ユニットカバーの各後端部の間に、上記各マイクロホンユニットに対して共通の後部音響端子が設けられていることを特徴とするステレオマイクロホン。
【発明の詳細な説明】
【技術分野】
【０００１】
本発明は、ステレオマイクロホンに関し、さらに詳しく言えば、カムコーダの画角に適した収音軸の開きを有し、カムコーダの後方にはほとんど感度を持たないカムコーダに好適なステレオマイクロホンに関するものである。
【背景技術】
【０００２】
ステレオマイクロホンのうち、カムコーダに搭載されるステレオマイクロホンには、多くの場合、ＭＳステレオ方式もしくはＸＹステレオ方式によるステレオマイクロホンが用いられている。
【０００３】
ＭＳステレオ方式では、中央に配置される単一指向性マイクロホンユニットより主信号Ｍを得るとともに、その側方に配置される双方向性マイクロホンユニットより方向信号Ｓを得て、これらの各信号をマトリクス回路に入力して、（Ｍ＋Ｓ），（Ｍ−Ｓ）なるＬ，Ｒの各チャンネル信号を作るようにしている（例えば、特許文献１参照）。
【０００４】
これに対して、ＸＹステレオ方式では、２つの単一指向性マイクロホンユニットを適切な角度に機械的に固定し、左側のユニット出力をＬチャンネル，右側のユニット出力をＬチャンネルとしている（例えば、特許文献２参照）。
【先行技術文献】
【特許文献】
【０００５】
【特許文献１】特開２００２−３７４５９２号公報（段落〔０００２〕−〔０００３〕，図３）
【特許文献２】実公平６−３５５９７号公報（図４）
【発明の概要】
【発明が解決しようとする課題】
【０００６】
ところで、カムコーダの標準レンズによる画角は、通常、２５゜〜５０゜程度とされている。ステレオマイクロホンは、カムコーダのビューファインダの近傍に取り付けられ、操作者は、撮像時にカムコーダの後部に位置する。
【０００７】
ＭＳステレオ方式では、上記したようにサイドユニットに双方向性マイクロホンユニットが用いられ、カメラの軸に対して９０゜の方向に向けられる。このため、操作者の真横からの音声（例えば、隣の人の音声）が収音されることがある。また、双方向性マイクロホンユニットは、近接効果が大きいことから、低い周波数成分の音声が画角外から収音されやすい。
【０００８】
ＸＹステレオ方式では、２つの単一指向性マイクロホンユニットをカムコーダの軸に対して±４５゜〜６０゜左右にそれぞれ振り向けて取り付けられる。これによれば、真横方向からの音声はほとんど収音されないが、指向軸がそれぞれ±４５゜〜６０゜左右に振り向けられているため、カムコーダの後方からの音声（操作者の音声や操作音等）が収音されやすい。
【０００９】
したがって、本発明の課題は、カムコーダの画角に適した収音軸の開きを有し、カムコーダの後方にはほとんど感度を持たないカムコーダに好適なステレオマイクロホンを提供することにある。
【課題を解決するための手段】
【００１０】
上記課題を解決するため、本発明は、指向性がともに単一指向性である第１および第２の２つのマイクロホンユニットを含むステレオマイクロホンであって、平板状に形成されたバッフル板を備え、上記各マイクロホンユニットがそれぞれ指向軸を互いに平行として、上記第１マイクロホンユニットが上記バッフル板の一方の面側に配置され、上記第２マイクロホンユニットが上記バッフル板の他方の面側に上記第１マイクロホンユニットと対称的に配置されているとともに、上記バッフル板の各面には、上記マイクロホンユニットの指向軸と同軸に形成された貫通孔を有する音響抵抗材よりなるユニットカバーが設けられ、上記各マイクロホンユニットが上記各ユニットカバーの上記貫通孔内に収納され、上記バッフル板と上記各ユニットカバーとにより上記各貫通孔の先端側に右前部音響端子と左前部音響端子とが構成され、上記各ユニットカバーの後端部は上記バッフル板の後端部よりも後方に延びていて、上記各ユニットカバーの後端部において上記各貫通孔の内部空間は互いに連通しており、上記バッフル板の延長線上で上記各ユニットカバーの各後端部の間に、上記各マイクロホンユニットに対して共通の後部音響端子が設けられていることを特徴としている。
【発明の効果】
【００１２】
本発明によれば、バッフル板と、その両面に設けられる各ユニットカバーとにより、ユニットカバーに設けられている各貫通孔の先端側に右前部音響端子と左前部音響端子とが形成され、各ユニットカバーの後端部はバッフル板の後端部よりも後方に延びていて、バッフル板の延長線上で各ユニットカバーの各後端部の間に、各マイクロホンユニットに対して共通の後部音響端子が設けられていることにより、後方（１８０゜方向）からの音波の収音をきわめて小さくすることができる。
【００１３】
また、後部音響端子と右前部音響端子とを結ぶ線が右収音軸、後部音響端子と左前部音響端子とを結ぶ線が左収音軸となるため、後部音響端子と前部音響端子との間の距離を調節することにより、バッフル板を含む平面を０゜方向として、カムコーダの画角に応じて収音軸の開き角を容易に設定することができる。
【図面の簡単な説明】
【００１４】
【図１】（ａ）本発明の実施形態に係るステレオマイクロホンを示す正面図，（ｂ）その背面図
【図２】図１（ａ）の右側面図（図１（ｂ）における左側面図）。
【図３】図２のＡ−Ａ線断面図。
【図４】バッフル板に設けられるマイクロホンユニットとユニットカバーとを分離して示す分解斜視図。
【図５】（ａ）右側マイクロホンユニットのポーラパターンを示す円形グラフ、（ｂ）その指向周波数応答を示すグラフ。
【図６】（ａ）左側マイクロホンユニットのポーラパターンを示す円形グラフ、（ｂ）その指向周波数応答を示すグラフ。
【発明を実施するための形態】
【００１５】
次に、図１〜図６により、本発明の実施形態について説明するが、本発明はこれに限定されるものではない。
【００１６】
図１〜図３を参照して、この実施形態に係るステレオマイクロホン１は、ビデオカメラとＶＴＲとを一体型としたカムコーダ用であって、基本的な構成として、平板状に形成されたバッフル板１０と、２つのマイクロホンユニット２０，２０と、各マイクロホンユニットのためのユニットカバー３０，３０とを備える。
【００１７】
バッフル板１０は長方形状であり、一方の短辺側（図２，図３において左側）が図示しない音源側に向けられることから、その一方の短辺側をバッフル板１０の前端部１０Ｆとする。
【００１８】
この前端部１０Ｆに対して、反対側の他方の短辺側が後端部となるが、この実施形態では、図４に示すように、他方の短辺側の中央部分をコ字状に切り欠き、その切り欠かれた後部空間部分１１の底辺をバッフル板１０の実質的な後端部１０Ｅとしている。
【００１９】
カムコーダの操作者は、バッフル板１０の後端部１０Ｅ側（図１（ｂ）において紙面の手前側、図２，図３において右側）に位置して図示しないカムコーダを操作することから、以下の説明において、ステレオの左側（Ｌ側），右側（Ｒ側）とは、操作者側から見た場合を基準としている。
【００２０】
マイクロホンユニット２０，２０は、ともに指向性が単一指向性（カージオイド）であり、その指向周波数応答等の特性がほぼ同一であって、その一方の左側マイクロホンユニット２０Ｌと、他方の右側マイクロホンユニット２０Ｒは、図３に示すように、それらの各指向軸（収音軸）Ｘ，Ｘを同一の向き、かつ、互いに平行としてバッフル板１０の左側の面１０Ｌと、右側の面１０Ｒとに左右対称として配置される。各指向軸Ｘ，Ｘは、バッフル板１０の板面とも平行である。
【００２１】
この実施形態において、各マイクロホンユニット２０Ｌ，２０Ｒはコンデンサ型（静電型）であるが、場合によってはダイナミック型（動電型）が採用されてもよい。
【００２２】
ユニットカバー３０，３０（３０Ｌ，３０Ｒ）は、音響抵抗材料（例えば、日本バイリーン社製の不織布ＪＨ−１００７）からなり、その内部に、マイクロホンユニット２０Ｌ，２０Ｒが収納される音響管的な貫通孔３１を備える。
【００２３】
貫通孔３１は、真円状にくり抜かれた孔であってもよいが、この実施形態において、貫通孔３１は、図４に示すように、バッフル板１０に接する部分にスリット３２が形成された断面Ｃ字状の孔からなる。スリット３２は、貫通孔３１の軸線方向に沿ってその全長にわたって形成されている。
【００２４】
ユニットカバー３０Ｌ，３０Ｒは、それらの各貫通孔３１，３１内にマイクロホンユニット２０Ｌ，２０Ｒを収納した状態で、バッフル板１０の後端部１０Ｅを含む後部空間部分１１を覆うようにしてバッフル板１０の各面１０Ｌ，１０Ｒに接着材等を介して左右対称的に取り付けられる。
【００２５】
これにより、ユニットカバー３０Ｌ，３０Ｒのうちの後端部１０Ｅよりも後方に延びる部分において、各貫通孔３１，３１のスリット３２，３２は、図１（ｂ）の鎖線で示すように、バッフル板１０の後部空間部分１１を介して互いに連通する。
【００２６】
各マイクロホンユニット２０Ｌ，２０Ｒは、単一指向性であることから、それ自体固有の前部音響端子と後部音響端子とを備えているが、このステレオマイクロホン１によれば、図３に示すように、ユニットカバー３０Ｌ側の貫通孔３１の前面３１Ｆの中心部分がステレオマイクロホン１としての左前部音響端子ＰＬとなり、また、ユニットカバー３０Ｒ側の貫通孔３１の前面３１Ｆの中心部分がステレオマイクロホン１としての右前部音響端子ＰＲとなる。
【００２７】
これに対して、ユニットカバー３０Ｌ側の貫通孔３１の後面３１Ｅと、ユニットカバー３０Ｒ側の貫通孔３１の後面３１Ｅとの間で、バッフル板１０の延長線上に各マイクロホンユニット２０Ｌ，２０Ｒに対して共通なステレオマイクロホン１としての後部音響端子ＰＢが設けられる。
【００２８】
したがって、図３に示すように、後部音響端子ＰＢと右前部音響端子ＰＲとを結ぶ線が右収音軸（右側指向軸）ＲＸ、後部音響端子ＰＢと左前部音響端子ＰＬとを結ぶ線が左収音軸（左側指向軸）ＬＸとなり、後部音響端子ＰＢと前部音響端子ＰＲ，ＰＬとの間の距離を調節することにより、バッフル板１０を含む平面を０゜方向として、カムコーダの画角に応じて収音軸の開き角±θを容易に設定することができる。また、１８０゜方向からの音波の収音を小さくすることができる。
【００２９】
この実施形態おいては、左右それぞれの収音軸を±１２゜としており、参考として、右側マイクロホンユニット２０Ｒのポーラパターンを図５（ａ）に、その指向周波数応答を図５（ｂ）に示す。また、左側マイクロホンユニット２０Ｌのポーラパターンを図６（ａ）に、その指向周波数応答を図６（ｂ）示す。
【００３０】
なお、上記実施形態では、ユニットカバー３０Ｌ，３０Ｒの各貫通孔３１，３１に、それぞれ軸方向の全長にわたってスリット３２を設けているが、別の形態として、各貫通孔３１，３１のうち、マイクロホンユニット２０Ｌ，２０Ｒを収納する部分はスリットがない真円とし、バッフル板１０の後端部１０Ｅを含む後部空間部分１１を覆う部分にのみスリット３２を設けて各貫通孔３１，３１の内部を互いに連通させるようにしてもよい。
【符号の説明】
【００３１】
１  ステレオマイクロホン
１０  バッフル板
１０Ｆ  バッフル板の前端部
１０Ｅ  バッフル板の後端部
１１  バッフル板の後部空間部分
２０（２０Ｌ，２０Ｒ）  マイクロホンユニット
３０（３０Ｌ，３０Ｒ）  ユニットカバー
３１  貫通孔
３１Ｆ  貫通孔の前面
３１Ｅ  貫通孔の後面
３２  スリット
ＰＲ  右前部音響端子
ＰＬ  左前部音響端子
ＰＢ  後部音響端子
ＲＸ  右収音軸
ＬＸ  左収音軸
【図１】
0005731900.tif 000002
【図２】
0005731900.tif 000003
【図３】
0005731900.tif 000004
【図４】
0005731900.tif 000005
【図５】
0005731900.tif 000006
【図６】
0005731900.tif 000007